(57)【特許請求の範囲】
【請求項１】
情報記録媒体を収容するカートリッジホルダと、
前記カートリッジホルダに設けられ、前記カートリッジホルダ内にカートリッジを引き込むためのローディングアームを備えて、前記カートリッジホルダ内に情報記録媒体をローディングするローディング手段と、
情報記録媒体を記録及び／又は再生する記録再生手段と、
前記カートリッジホルダ及び前記記録再生手段を含むフローティング部を、筐体に対してフローティング支持するフローティング手段と、
前記筐体側に設けられ、前記フローティング手段をロックするフローティングロック手段と、
前記筐体側に設けられ、イジェクトリンク及びローディングガイドプレートを備えて、前記ローディング手段及びフローティングロック手段の双方に対して動力を供給する動力源と、
前記動力源の動力を前記ローディング手段及びフローティングロック手段に対して伝達する動力伝達手段と、
前記イジェクトリンク及びローディングガイドプレートを連結するための、該イジェクトリンク及びローディングプレートに設けられた連結ピン及びその一端に開放端を有する連結溝を備えて、前記フローティングロック手段によるフローティングロック解除時に、前記動力伝達手段の、前記動力源からの前記ローディング手段及びフローティングロック手段の一方に至る動力伝達経路を遮断する経路遮断手段と、
を備えたことを特徴とする情報記録媒体記録再生装置。
【請求項２】
請求項１記載の情報記録媒体記録再生装置において、
前記イジェクトリンクは、前記ローディングアームと同軸に設けられると共に、該アームを押圧する押圧部及び前記連結ピンを備え、
前記ローディングガイドプレートは、前記連結溝を備え、
前記連結溝は、前記ローディングガイドプレートの移動につれてその内部に配置された前記連結ピンがその開放端から離脱するように形成されたことを特徴とする情報記録媒体記録再生装置。
【請求項３】
請求項２記載の情報記録媒体記録再生装置において、前記連結溝は、その開放端に先端部を備えたことを特徴とする情報記録媒体記録再生装置。
【発明の詳細な説明】
【０００１】
【産業上の利用分野】
本発明は、情報記録媒体記録再生装置に関するものであり、特に情報記録媒体に対する記録／再生が行なわれる際に、プレーヤ部がフローティング状態となる情報記録媒体記録再生装置に関するものである。
【０００２】
【従来の技術】
車載用のＣＤプレーヤ、カセットプレーヤ等においては、一般にＣＤ、コンパクトカセット等の媒体を直接プレーヤ内に差し入れることによりプレーヤ部に装着させるようになっている。
【０００３】
カセットプレーヤでは、挿入されるカセットの一部を、昇降可能なホルダに取り付けたアームを用いて機械的に係合させ、このアームの回動動作によりカセットがホルダ内にローディングされる。このホルダは、カートリッジの引込みが完了した後は、ヘッドと対向する位置にまで下降される。一方、ＣＤプレーヤでは、ローディングローラでＣＤをはさみ、該ローラの回転によりディスクを当該プレーヤ内に引き込むようになっている。
【０００４】
ところでＣＤ等の光ディスクプレーヤでは、媒体に形成されたトラックをピックアップが正確に追従する必要があり、トラック飛び等の防止のために、いわゆるフローティング機構が採用されている。またディスクのローディングの際にはディスクの挿入動作を正確に行なう必要があるので、再生時以外にはフローティング機構をロック（固定）するようになっている。
【０００５】
このフローティングロックの為の機構（以下フローティングロック機構という）は、構成の簡略化のためにローディングローラの回転駆動モータの動力を利用して行なわれるようになっている。
【０００６】
【発明が解決しようとする課題】
近年、情報記録媒体としてＭＤ（Ｍｉｎｉ  Ｄｉｓｃ）が登場しているが、このＭＤはそのカートリッジがＣＤよりも小さく、また矩形状の輪郭を有しているために、従来のＣＤプレーヤのようにローディングローラを用いてＭＤのローディングを安定的に行なうことが難しい。
【０００７】
このために、ＭＤをカセットプレーヤのように機械的な係合により引き込む構造が考えられるが、前述のように光ディスクプレーヤではプレーヤ部をフローティング構造としなければならないので、従来のＣＤプレーヤのように、フローティングロック機構を、ローディング機構の動力を利用して行なうことが出来にくく、構造の複雑化を招く。
【０００８】
すなわちフローティングロック機構はプレーヤ装置の筺体側（固定側）に取り付けられているのに対し、ローディング機構は筺体からフローティングされる側に取り付けられているので、単一の駆動源から前記フローティングロック手段及びローディング手段の双方に対して動力を供給する場合には、ローディング側の駆動装置（前記駆動源が筺体側側に設けられている場合。駆動源がフローティング側に設けられている場合にはフローティングロック側の駆動装置。）に動力の偏倚装置（ユニバーサルジョイントの様な動力伝達の方向変換装置）を設けなければならず、構造が複雑化する。
【０００９】
【課題を解決するための手段】
前記の問題点を解決するために、請求項１記載の発明は、情報記録媒体を収容するカートリッジホルダと、前記カートリッジホルダに設けられ、前記カートリッジホルダ内にカートリッジを引き込むためのローディングアームを備えて、前記カートリッジホルダ内に情報記録媒体をローディングするローディング手段と、情報記録媒体を記録及び／又は再生する記録再生手段と、前記カートリッジホルダ及び前記記録再生手段を含むフローティング部を、筐体に対してフローティング支持するフローティング手段と、前記筐体側に設けられ、前記フローティング手段をロックするフローティングロック手段と、前記筐体側に設けられ、イジェクトリンク及びローディングガイドプレートを備えて、前記ローディング手段及びフローティングロック手段の双方に対して動力を供給する動力源と、前記動力源の動力を前記ローディング手段及びフローティングロック手段に対して伝達する動力伝達手段と、前記イジェクトリンク及びローディングガイドプレートを連結するための、該イジェクトリンク及びローディングプレートに設けられた連結ピン及びその一端に開放端を有する連結溝を備えて、前記フローティングロック手段によるフローティングロック解除時に、前記動力手段の、前記動力源からの前記ローディング手段及びフローティングロック手段の一方に至る動力伝達経路を遮断する経路遮断手段とを備えた点に特徴がある。
【００１０】
請求項２記載の発明では、前記イジェクトリンクが、前記ローディングアームと同軸に設けられると共に、該アームを押圧する押圧部及び前記連結ピンを備え、前記ローディングガイドプレートが、前記連結溝を備え、前記連結溝は、前記ローディングガイドプレートの移動につれてその内部に配置された前記連結ピンがその開放端から離脱するように形成された点に特徴がある。
【００１１】
請求項３記載の発明では、前記連結溝が、その開放端に先端部を備えた点に特徴がある。
【００１５】
【作用】
請求項１記載の発明では、動力源からローディング手段及びフローティングロック手段の一方の手段に至る動力伝達経路を遮断するので、共通の駆動源から、筐体に固定側の前記一方の手段のみならず、フローティング側の前記他方の手段に対しても支障なく動力を供給することが可能となる。すなわち、特殊な動力の偏倚装置を設けずとも、単一の駆動源からフローティングロック手段及びローディング手段の双方に対して動力を供給することができる。
【００１６】
請求項１ないし３記載の発明では、前記の動力の遮断を、連結ピン及び一端に開放端を有する連結溝を用いて行うようにしたので、極めて簡単な装置で動力の遮断が実現できる。
【００１７】
【実施例】
以下に、図面を参照して本発明を詳細に説明する。
この実施例は、情報記録媒体が収容されたカートリッジを、ターンテーブル上に配置されたホルダ（カートリッジホルダ）内に引込み、収容した後、該カートリッジホルダを下降させて、ターンテーブルにカートリッジ内のディスクを装着するように構成されたディスクプレーヤである。以下の説明では、カートリッジはＭＤであり、ディスクプレーヤはＭＤプレーヤであるものとして説明する。
【００１８】
Ａ．フローティングロック機構
ＭＤプレーヤには、ＭＤを再生するドライブユニットＤがシャーシユニットＡ（図１参照）に対してダンパ及びダンパスプリングから成るフローティング手段（図示せず）によってフローティング可能に取り付けられており、且つドライブユニットＤを含むフローティングユニットＦのフローティング状態をロックしてフローティングユニットＦをシャーシユニットＡに対して固定するフローティングロック機構が設けられている。
【００１９】
フローティングロック機構は、ドライブユニットＤの側面部に設けられる被ロック部Ｄ１，Ｄ２（図３）及びＤ３（図４）と、これら被ロック部Ｄ１，Ｄ２，Ｄ３に係合可能なロック爪とを具備している。被ロック部Ｄ１，Ｄ２に係合可能なロック爪２ｂ，２ｃは、後述する第２ローディングガイドプレート２（図６参照）に設けられている。また被ロックＤ３に係合可能な係合爪を有する部材（図示せず）は、公知の適宜の手法により第２ローディングガイドプレート２と同期して動作するように構成されている。
【００２０】
Ｂ．カートリッジローディング機構
ＭＤを当該ディスクプレーヤ内にローディングするローディングするローディング機構は、カートリッジをカートリッジホルダ４内に引き込むカートリッジ引込み機構と、カートリッジが引き込まれたカートリッジホルダをターンテーブル上に落とす落し込み機構とより構成される。
【００２１】
この例においては、カートリッジ引込み機構は、クランパ１０２を備えたローディングアーム６及びイジェクトリンク１１を具備している。このクランパ１０２はカートリッジＣの側面に設けられた凹部Ｃ１と係合可能な係合爪を備えており、軸６ｃを中心に回動自在に設けられたローディングアーム６の先端に、軸１０２ｃを中心に回動自在に取り付けられている。そしてクランパ１０２は図示されないコイルばねにより図１において時計方向に付勢されている。これによりカートリッジＣをカートリッジホルダ４内に差し込むと、前記係合爪１０１が前記凹部Ｃ１に係合する。
【００２２】
Ｂ−１．ローディングアーム６
ローディングアーム６は、その手前側縁部に当接部６ｃを備えている（図１参照）。そしてローディングアーム６の奥側端部付近にはアームスプリング６ｄの一端部が取り付けられている。アームスプリング６ｄの他端部はイジェクトリンク１１の右端部に取り付けられており、このアームスプリング６ｄの弾発力により、前記当接部６ｃが後述の押圧部１１ｄに当接しており、これによりローディングアーム６とイジェクトリンク１１とが連動されるようになっている。
【００２３】
Ｂ−２．イジェクトリンク１１
イジェクトリンク１１は、前記ローディングアーム６と次に述べる第１ローディングガイドプレート１とを連結する部材であり、ローディングアーム６上方に配置され、支軸６ａと同軸に配置された支軸１１ａを支点として水平方向に回動自在に取り付けられている。イジェクトリンク１１の左端部には上方に突出する連結ピン１１ｂが設けられている。またイジェクトリンク１１の手前側端部には、その一端がカートリッジホルダ４の上面に取り付けられたリンクスプリング１１ｃの他端が取り付けられており、イジェクトリンク１１が図１の位置よりも若干反時計方向に回動すると、リンクスプリング１１ｃによりイジェクトリンク１１が図１中、反時計回転方向に付勢されるようになっている。さらにイジェクトリンク１１の手前側端部には前記ローディングアーム６の当接部６ｃを押圧する押圧部１１ｄが形成されている。
【００２４】
Ｃ．フローティングユニットＦを構成する部材
フローティングユニットＦは、ドライブユニットＤ、カートリッジホルダ４、ホルダアーム５、前記のローディングアーム６及びイジェクトリンク１１等から成り、ＭＤの再生時にフローティング状態をとる部品群である（図１〜図４参照）。
【００２５】
Ｃ−１．ドライブユニットＤ
ドライブユニットＤは、図示されないスピンドルモータに取り付けられたターンテーブルｔを有しており、カートリッジＣ内に収容されたディスクを回転させる。前述した被ロック部Ｄ１，Ｄ２は、ドライブユニットＤの左側面部に、被ロック部Ｄ３は右側面部に設けられている。また、ドライブユニットＤの左右側縁部には上下方向に切り欠かれたガイド溝Ｄ４，Ｄ５が設けられている。
【００２６】
なおカートリッジＣには、その内部に収納されたディスクが光ディスクである場合（再生専用ディスクである場合）には該ディスクの下面を、またディスクが光磁気ディスクである場合（記録可能ディスクである場合）には該ディスクの下面及び上面を露出可能とする開閉自在なシャッターＳが設けられている。
【００２７】
Ｃ−２．カートリッジホルダ４
カートリッジホルダ４は、カートリッジＣを保持する部材であり、ドライブユニットＤ上方に配置されている。またカートリッジホルダ４の手前側縁部にはカートリッジ挿入口４ａが設けられている。このカートリッジホルダ４にはカートリッジＣのシャッターＳのロック解除用の爪及び開放されたシャッターＳを保持するシャッタースプリング（共に図示せず）が設けられている。カートリッジＣがカートリッジホルダ４内に収容される際には、前記爪によって該シャッターＳのロックが外され、その後該カートリッジＣの引込みによりシャッターＳが開放される。したがって、カートリッジＣがターンテーブルｔに載置されるときはシャッターＳは開放状態にあり、ＭＤの情報記録面はドライブユニットＤに設けられた図示されないピックアップと対向するようになっている。
【００２８】
またカートリッジホルダ４の左側縁部中央にはホルダピン４ｂが、右側縁部中央にはガイドピン４ｃが、それぞれ外方に突出して設けられている。これらのピン４ｂ，４ｃはドライブユニットＤのガイド溝Ｄ４，Ｄ５内に収容されている。
【００２９】
Ｃ−３．ホルダアーム５
ホルダアーム５は、図１及び図２に示されるようにドライブユニットＤの左右両側面部に略垂直方向に延びる一対の側面部５ｘとそれらを連結する水平部５ｙとより成り、この一対の側面部５ｘに設けられた支軸５ａを中心にして上下方向に揺動可能となるように取り付けられている。ホルダアーム５の奥側端部にはカートリッジホルダ４の各ピン４ｂ，４ｃを把持する把持部５ｂが設けられている。また、ホルダアーム５の左側の側面部５ｘにはホルダスプリング５ｃの一端が取り付けられ、その他端はドライブユニットＤ側に取り付けられている。このホルダスプリング５ｃは、カートリッジホルダ４が押し下げられる方向にカートリッジホルダ４を付勢している。
【００３０】
続いて、このディスクプレーヤに備えられるローディング制御機構の構成を説明する。ローディング制御機構は、ローディングガイドプレート１，２、及び駆動系等から構成される。
【００３１】
Ｄ．第１及び第２ローディングガイドプレート１，２
第１ローディングガイドプレート１（図５参照）及び第２ローディングガイドプレート２（図６，図７参照）は、シャーシユニットＡの左縁部に前後方向（図１の矢印ＦＯ及びＲＥ方向）に摺動可能に設けられている。第１ローディンクガイドプレート１は前記カートリッジローディング機構に組込まれてカートリッジのローディングを行い、第２ローディングガイドプレート２は前記フローティングロック機構に組込まれフローティングロックを行なうようになっている。この第１及び第２ローディングガイドプレート１，２は、それぞれ駆動モータ８の回転により摺動されるが、後述する手法によりそれぞれのプレート１，２の動作タイミングが制御される。
【００３２】
前記第１及び第２ローディングガイドプレート１，２には、それぞれ、第１当接部１ｚ及び第２当接部２ｚ（図５及び図６参照）が設けられており、各プレート１，２は、該第１当接部１ｚ及び第２当接部２ｚが対向するように、シャーシユニットＡに設けられている。
【００３３】
なお、第１ローディングガイドプレート１の奥側端部及び第２ローディングガイドプレート２の手前側端部には両者を連結する連結スプリング１８（図１）が取り付けられている。この連結スプリング１８は第１ローディングガイドプレート１を手前側（矢印ＦＯ方向）に付勢し、第２ローディングガイドプレート２を奥側（矢印ＲＥ方向）に付勢する。
【００３４】
Ｄ−１．第１ローディングガイドプレート１
図５（Ａ）〜（Ｃ）に示される第１ローディングガイドプレート１は、底面部、側面部及び上面部を有する断面コ字状であり、このうち底面部の右縁部（図５（Ａ）では底面部を裏側から見ているので左縁部）にはラックギヤ１ａが形成されている。
【００３５】
またプレート１の側面部にはカム穴１ｂが形成され（図５（Ｂ）参照）、さらにこのカム穴１ｂには奥方に向かって下方に傾斜する辺部１ｆが形成されている。このカム穴１ｂ内にはカートリッジホルダ４のホルダピン４ｂが挿入されており、カートリッジホルダ４の昇降動作を制御するように構成されている。
【００３６】
プレート１上面部には奥方に向って右方に緩やかにカーブする連結溝１ｃが形成されている（図５（Ｃ）参照）。この連結溝１ｃにイジェクトリンク１１の連結ピン１１ｂが挿入されることにより、第１ローディングガイドプレート１とイジェクトリンク１１とが連結され、連結溝１ｃから連結ピン１１ｂが外れることにより両者の連結解除が行われるようになっている。また連結溝１ｃを構成する一対の辺部のうち、手前側の辺部先端部１ｄは奥側の辺部よりも長く伸びている。この先端部１ｄは連結ピン１１ｂが連結溝１ｃ内に入り込む際の案内となる。
【００３７】
Ｄ−２．第２ローディングガイドプレート２
図６及び図７に示される第２ローディングガイドプレート２には底面部及び側面部が設けられており、底面部の右縁部（図６では底面部を裏側から見ているので左縁部）には、ラックギヤ２ａが形成されている。またプレート２底面部の奥側及び手前側端部にはロック爪２ｂ，２ｃが設けられている。ロック爪２ｂ，２ｃは、前述したようにドライブユニットＤの被ロック部Ｄ１，Ｄ２に係合し、フローティングユニットＦをロックするものである。
【００３８】
Ｅ．駆動系
シャーシユニットＡの底面部には駆動モータ８、ギヤ列９及びローディングガイドギヤ１０が配設されている（図８に図示）。
【００３９】
Ｅ−１．駆動モータ８及びギヤ列９
駆動モータ８は、スタートスイッチ７（図１）により制御され、前記第１及び第２ローディングガイドプレート１，２を動作させる駆動源である。ギヤ列９は駆動モータ８からローディングガイドギヤ１０へ回転力を伝達するギヤ群である。
【００４０】
Ｅ−２．ローディングガイドギヤ１０
ローディングガイドギヤ１０は、図９に示すように、入力ギヤ１０ａと、第１出力ギヤ１０ｂと、第２出力ギヤ１０ｃという合計３段のギヤから構成される。入力ギヤ１０ａはギヤ列９側のギヤと噛合うギヤであり、このギヤからローディングガイドギヤ１０に回転力が供給される。
【００４１】
後述のように、第１出力ギヤ１０ｂは、ローディング動作の開始時はラックギヤ１ａと噛み合っており（図８）、ローディング動作の途中でラックギヤ１ａとの噛み合いが終了する（図１０（Ｂ））ように構成されている。また、第２出力ギヤ１０ｃは、ローディング動作の開始時はラックギヤ２ａとの噛み合いは行なわれていないが（図８）、ローディング動作の途中からラックギヤ２ａに噛合う（図１０（Ａ））ように構成されている。
【００４２】
なお、連結スプリング１８のバネ力により、ローディングガイドプレート１，２がそれぞれ矢印ＦＯ方向及び矢印ＲＥ方向に付勢されているので、出力ギヤ１０ｂ，１０ｃとラックギヤ１ａ，２ａとの噛み合い終了したときは、ラックギヤ１ａ，２ａは出力ギヤ１０ｂ，１０ｃから離れる方向に移動する。
【００４３】
Ｇ．第１ローディングガイドプレート１と、イジェクトリンク１１との動作タイミング
第１ローディングガイドプレート１の連結溝１ｃとイジェクトリンク１１の連結ピン１１ｂとの係脱のタイミングは、次のように設定される。すなわちカートリッジをカートリッジホルダ４内に完全に引き込み、カートリッジホルダ４に下降動作を開始させる位置まで第１ローディングガイドプレート１が移動したとき、連結溝１ｃから連結ピン１１ｂが外れる。逆に、カートリッジホルダ４の上昇動作が完了した位置まで第１ローディングガイドプレート１が移動したとき、連結溝１ｃに連結ピン１１ｂが係合する。
【００４４】
［本実施例の作用］
以上のような構成を有する実施例の動作を、ローディング動作とイジェクト動作とに分けて説明する。
【００４５】
α．ローディング動作
（駆動モータ８の動作開始）
図１に示すようにカートリッジホルダ４にカートリッジＣを挿入すると、カートリッジＣの一方の凹部Ｃ１がクランパ１０２の係合爪１０１と係合する。該係合の後、カートリッジＣをさらに押し込むと、ローディングアーム６がアームスプリング６ｄの弾発力に抗して図１中、反時計回転方向に回動する。このときイジェクトリンク１１は、その連結ピン１１ｂが連結溝１ｃ内に挿入されているので、第１ローディングガイドプレート１に規制されて動かない。
【００４６】
これによりローディングアーム６のスイッチ押圧部６ｂがスタートスイッチ７から離れ、駆動モータ８がオンとなる。
【００４７】
（第１ローディングガイドプレート１のスライド動作の開始）
駆動モータ８が回転を開始すると、その駆動力がギヤ列９（図８）を介して入力ギヤ１０ａに伝わり、ローディングガイドギヤ１０が回動する。
【００４８】
前述のようにローディング動作の開始時（図８及び図１１）においては、第１ローディングガイドプレート１のラックギヤ１ａのみが第１出力ギヤ１０ｂと噛み合っており、第２ローディングガイドプレート２のラックギヤ２ａは第２出力ギヤ１０ｃとは噛み合っていない（図８）。
前述のように連結スプリング１８の弾発力により、第１ローディングガイドプレート１及び第２ローディングガイドプレート２は、それぞれ矢印ＦＯ及びＲＥ方向に付勢されている。
【００４９】
したがって、第１出力ギヤ１０ｂの回転力によりラック１ａがスライドし、第１ローディングガイドプレート１が手前側に移動する（図８から図１０（Ａ）へ・図１１から図１２へ）。
【００５０】
このローディング開始時においては、前述のように第２ローディングガイドプレート２のラックギヤ２ａは第２出力ギヤ１０ｃの歯と噛み合っておらず、このとき連結スプリング１８は第２ローディングガイドプレート２を奥側（矢印ＲＥ方向）に、すなわちラックギヤ２ａを第２出力ギヤ１０ｃから離す方向に付勢している。よってローディング開始時には第１ローディングガイドプレート１のみが移動することになる。
【００５１】
（カートリッジＣの引込み動作）
ローディング動作の開始時はカートリッジホルダ４は上昇位置にある。また前述のように連結溝１ｃには連結ピン１１ｂが係合しており、アームスプリング６ｄの弾発力によりイジェクトリンク１１は第１ローディングガイドプレート１とローディングアーム６とを連結している（図１、図８及び図１４に示す状態）。
【００５２】
そのため、第１ローディングガイドプレート１の移動力は、押圧部１１ｄが当接部６ｃを押す押圧力となってローディングアーム６に伝わり、これにより第１ローディングガイドプレート１によるローディングアーム６の引込み動作が実現する。すなわちローディングアーム６が図１中、反時計回転方向に回動して引込み動作を行い、クランパ１０２がカートリッジＣの凹部Ｃ１を係合保持したまま、カートリッジＣをカートリッジホルダ４内に引込む。
【００５３】
なお、この引込みの際、クランパ１０２は制御プレート１０３の当接部１０３ｂに沿って摺動するので、カートリッジＣの機械的な負荷がかかってもクランパ１０２とカートリッジＣとの係合外れはない。
【００５４】
このカートリッジホルダ４内へのカートリッジＣの引込みが完了しても、後述のように第１ローディングガイドプレート１は移動を続けるが、これにより図１５に示すように連結溝１ｃから連結ピン１１ｂが外れる。このようにカートリッジホルダ４側に設けられたイジェクトリンク１１と、シャーシユニットＡ側に設けられた第１ローディングガイドプレート１との連結を解除することにより、この後、カートリッジホルダ４をフローティング可能とすることができる。
【００５５】
なおイジェクトリンク１１と、第１ローディングガイドプレート１との連結が解除されても、リンクスプリング１１ｃの弾発力によりイジェクトリンク１１、換言すればローディングアーム６は、カートリッジＣを引き込んだままである。
【００５６】
（第２ローディングガイドプレート２のスライド動作の開始）
第１ローディングガイドプレート１の移動が進むと、該プレート１の第１当接部１ｚ（図５（Ｂ）参照）が第２ローディングガイドプレート２の第２当接部２ｚ（図６参照）に当接して（図１０（Ｂ），図１２参照）、連結スプリング１８の弾発力に抗して矢印ＦＯ方向に押圧し、これにより第２ローディングガイドプレート２のラック２ａが第２出力ギヤ１０ｃと噛み合い始める。
【００５７】
したがってローディングガイドギヤ１０の回転により、第２出力ギヤ１０ｃがラック２ａをスライドさせ、第２ローディングガイドプレート２は第１ローディングガイドプレート１と同期して手前側に移動する。
【００５８】
（カートリッジ落し込み動作）
第１ローディングガイドプレート１が移動し、カートリッジホルダ４のホルダピン４ｂがカム穴１ｂの下方に傾斜した部分に達すると（図１２参照）、ホルダアーム５のホルダスプリング５ｃのバネ力により把持部５ｂがカートリッジホルダ４のホルダピン４ｂ及びガイドピン４ｃを押し下げているので、ホルダピン４ｂはカム穴１ｂの形状の沿って下降していく。これによりガイド溝Ｄ４，Ｄ５が各ピン４ｂ，４ｃをガイドしつつ、カートリッジホルダ４が下降動作を行い、カートリッジＣをカートリッジホルダ４と共にドライブユニットＤ上に落し込み装着する（図３，図４参照）。
【００５９】
そしてターンテーブルｔに設けられた磁石（図示せず）がカートリッジＣ内のディスク中央部の磁性体部（図示せず）を吸着し、これによりディスクがターンテーブルｔ上に保持される。
【００６０】
（第１ローディングガイドプレート１のスライド動作の停止）
上記のカートリッジ落し込み動作が終了した時点で、第１出力ギヤ１０ｂに噛み合うべきラックギヤ１ａの歯部分がなくなり、第１ローディングガイドプレート１のスライド動作が停止する（図１０（Ｂ））。これにより第１ローディングガイドプレート１及び第２ローディングガイドプレート２の同期が終了し、この後は第２ローディングガイドプレート２のみが移動を続けることになる。
【００６１】
また第１出力ギヤ１０ｂとラックギヤ１ａとの噛合がなくなることにより、連結スプリング１８の弾発力により第１ローディングガイドプレート１が矢印ＦＯ方向に若干移動される。これにより、ラックギヤ１ａは第１出力ギヤ１０ｂから完全に離れる。
【００６２】
このように第１ローディングガイドプレート１の移動完了後、ラックギヤ１ａを第１出力ギヤ１０ｂから離すのは、後述のようにイジェクト時には第１ローディングガイドプレート１の動作を第２ローディングガイドプレート２の動作よりも遅らせる必要があるためである。すなわちラックギヤ１ａを第１出力ギヤ１０ｂから積極的に離すようにしておかないと、イジェクト時に第１ローディングガイドプレート１の動作タイミングが早すぎてしまう虞があるからである。
【００６３】
（フローティングロック機構のロック状態解除動作）
最終的に、第２ローディングガイドプレート２の移動によりロック爪２ｂ，２ｃがドライブユニットＤの被ロック部Ｄ１，Ｄ２から離れる（図１０（Ｃ）及び図１３）。この結果、フローティングロック機構がロック状態を解除したことになり、フローティングユニットＦはフローティング状態となる。このフローティング時にはカム穴１ｂに形成された円形部と第２ローディングガイドプレート２に形成された穴２ｓとが一致し、この中央にホルダピン４ｂが配置され（図１３）、これによりカートリッジホルダ４のフローティング領域が確保される。
【００６４】
（第２ローディングガイドプレート２のスライド動作の停止）
上記のフローティングロック機構のロック状態解除動作が終了して、第２ローディングガイドプレート２が最終移動位置に達したことが図示されないセンサあるいはスイッチにより検出されると、駆動モータ８が停止され、ラックギヤ２ａは第２出力ギヤ１０ｃと噛み合った状態のまま、第２ローディングガイドプレート１のスライド動作が停止する（図１０（Ｃ））。
【００６５】
このように第２ローディングガイドプレート２のスライド動作の停止が停止すると、その後はターンテーブル上に装着されたディスクのに対するアクセス（記録又は再生）が可能となる。
【００６６】
β．イジェクト動作（アンローディング動作）を行う際の動作
続いて、このディスクプレーヤのイジェクト動作について説明する。
【００６７】
（第２ローディングガイドプレート２のスライド動作の開始及びフローティングロック機構のロック動作）
図１０（Ｃ）、図１３の状態から所定のイジェクト操作が行なわれると、駆動モータ８が前記と逆方向に動作して、ローディングガイドギヤ１０がローディング時と逆方向に回動する。このようなイジェクト動作の開始時（すなわちローディング完了状態）では、前述のように第２ローディングガイドプレート２のラックギヤ２ａが第２出力ギヤ１０ｃと噛み合っているのみであり、第１ローディングガイドプレート１のラックギヤ１ａは第１出力ギヤ１０ｂとは噛み合っていない。またこの連結スプリング１８は、ラックギヤ１ａを第１出力ギヤ１０ｂから離す方向に付勢している。
【００６８】
したがって、第２出力ギヤ１０ｃの回転力によりラック２ａがスライドし、第２ローディングガイドプレート１のみが奥側（矢印ＲＥ方向）に移動する（図１０（Ｃ）から図１０（Ｂ）へ・図１３から図１２へ）。
【００６９】
このような第２ローディングガイドプレート２の移動によりロック爪２ｂ，２ｃがドライブユニットＤの被ロック部Ｄ１，Ｄ２に係合し、フローティング部のロックが行なわれる。
【００７０】
（第１ローディングガイドプレート１のスライド動作の開始）
第２ローディングガイドプレート２の移動が進むと、該プレート２の第２当接部２ｚが第１ローディングガイドプレート１の第１当接部１ｚに当接して連結スプリング１８の弾発力に抗して矢印ＲＥ方向に押圧し（図１２）、これにより第１ローディングガイドプレート１のラックギヤ１ａが第１出力ギヤ１０ｂと噛み合い始める。
【００７１】
したがってローディングガイドギヤ１０の回転により、第１出力ギヤ１０ｂがラックギヤ１ａをスライドさせ、第１ローディングガイドプレート１は第２ローディングガイドプレート２と同期して奥側（矢印ＲＥ方向）に移動する。
【００７２】
（カートリッジ上昇動作）
その後、第１ローディングガイドプレート１は、カム穴１ｂがホルダピン４ｂが押し上げる位置まで移動し、ホルダピン４ｂはカム穴１ｂの形状の沿って上昇していく（図１２から図１１へ）。これによりガイド溝Ｄ４，Ｄ５が各ピン４ｂ，４ｃをガイドしつつ、カートリッジホルダ４が上昇動作を行う。
【００７３】
（第２ローディングガイドプレート２のスライド動作の停止）
第２ローディングガイドプレート２の動作によりフローティングロックが完了すると、第２出力ギヤ１０ｃに噛み合うべきラックギヤ２ａの歯部分がなくなり、第２ローディングガイドプレート２のスライド動作が停止する（図１０（Ａ））。これにより第１ローディングガイドプレート１及び第２ローディングガイドプレート２の同期が終了し、この後は第１ローディングガイドプレート１のみが移動を続けることになる。
【００７４】
また第２出力ギヤ１０ｃとラックギヤ２ａとの噛合がなくなることにより、連結スプリング１８の弾発力により第２ローディングガイドプレート２が矢印ＲＥ方向に若干移動される。これにより、ラックギヤ２ａは第２出力ギヤ１０ｃから完全に離れる。
【００７５】
このように第２ローディングガイドプレート２の移動完了後、ラックギヤ２ａを第２出力ギヤ１０ｃから離すのは、次のローディング開始の際に、第２ローディングガイドプレート２の動作を第１ローディングガイドプレート１の動作よりも遅らせる必要があるためである。すなわちラックギヤ２ａを第２出力ギヤ１０ｃから積極的に離すようにしておかないと、次回のローディング時に第２ローディングガイドプレート２の動作タイミングが早すぎてしまう虞があるからである。
【００７６】
なおフローティングロックの完了時には、カートリッジホルダ４の上昇動作もほぼ完了している。
【００７７】
（カートリッジＣの排出動作）
カートリッジホルダ４の上昇動作が完了した位置まで第１ローディングガイドプレート１が移動したとき、辺部先端部１ｄに対して奥側からイジェクトリンク１１の連結ピン１１ｂが当接する（図１５に示す状態）。さらに第１ローディングガイドプレート１が奥側に移動すると、イジェクトリンク１１が回転しつつ連結ピン１１ｂが連結溝１ｃの奥に挿入されていき、これによりイジェクトリンク１１を介して第１ローディングガイドプレート１とローディングアーム６とが連結される。
【００７８】
そのため、第１ローディングガイドプレート１の移動力は、イジェクトリンク１１からアームスプリング６ｄを介してローディングアーム６に伝わり、第１ローディングガイドプレート１はローディングアーム６の排出動作を実行する。これによりローディングアーム６が図１中、時計回転方向に回動する排出動作を行い、クランパ１０２がカートリッジＣの凹部Ｃ１を保持したまま、カートリッジＣの後端部をカートリッジホルダ４から露出させる。
【００７９】
（第１ローディングガイドプレート１のスライド動作の停止）
ローディングアーム６が図１中、時計回転方向に回動し、スイッチ押圧部６ｂがスタートスイッチ７を押圧した時点で、スイッチ７は駆動モータ８をオフにし、これによりイジェクト動作が終了する。駆動モータ８の停止により、ラックギヤ１ａは第１出力ギヤ１０ｂと噛み合ったまま、第１ローディングガイドプレート１のスライド動作が停止する（図８に示す状態）。
【００８０】
カートリッジ挿入口４ａより露出したカートリッジＣは、そのまま引き抜けば、クランパ１０２が該クランパ１０２を付勢する図示されないばねの弾発力に抗して回動して係合爪１０１が凹部Ｃ１から外れる。これによりカートリッジＣの取出が可能となる。
【００８１】
以上のようなディスクプレーヤでは、シャーシユニットＡ側に設けられた駆動源の動力をフローティングユニットＤ側に設けられたローディングアーム６に伝達するための動力伝達手段を、所定のタイミングで切断／接続することができるので、シャーシユニットＡ側に設けられたローディング機構、及びフローティング側に設けられたフローティングロック機構を、共通の駆動源を用いて動作させることができる。これにより当該ディスクプレーヤの構成が簡略化する。
【００８２】
さて、上記の例は、フローティングロック機構が設けられたシャーシユニットＡ側に駆動モータ８が設けられ、この駆動モータ８を用いて、シャーシユニットＡ側に設けられたフローティングロック機構とフローティングユニットＤ側に設けられたローディング機構との双方を駆動し、かつフローティング時には駆動モータ８からローディング機構に至る動力伝達手段を切断するものであるが、駆動モータがフローティングユニットＤ側に設けられている場合には、駆動モータからフローティングロック機構に至る動力伝達手段を切断するようにしても同様の効果を得ることができる。このような動力伝達手段の切断手段は、当業者ならば容易に想到できる。
【００８３】
また連結ピン１１ｂがイジェクトリンク１１に設けられ、連結溝１ｃが第１ローディングガイドプレート１に設けられるものとして説明したが、連結ピンを第１ローディングガイドプレートに、また連結溝をイジェクトリンクに設けても良いことは当然である。
【００８４】
また、本発明は以上のような実施例のみに限定されるものではなく、各構成部材の形状、寸法などは適宜変更可能である。
【００８５】
さらに上記の説明においては、情報記録媒体をＭＤであるものとして説明したが、本発明はＭＤ以外の媒体を扱う情報記録媒体記録再生装置にも適用可能である。
【００８６】
さらにまた本発明は、再生専用、記録専用、及び記録再生が可能ないずれの情報記録媒体記録再生装置にも適用可能である。
【００８７】
【発明の効果】
請求項１記載の発明では、特殊な動力の偏倚装置を設けずとも、単一の駆動源からフローティングロック手段及びローディング手段の双方に対して動力を供給することができる。よって、フローティングロック機構を有する情報記録媒体記録再生装置を簡単な構成で実現できる。
【００８８】
請求項１ないし３記載の発明では、前記の動力の遮断を、連結ピン及びその一端に開放端を有する連結溝を用いて行うようにしたので、極めて簡単な装置で動力の遮断が実現できる。
【図面の簡単な説明】
【図１】  本発明によるディスクプレーヤの平面図であり、カートリッジホルダ４、ホルダアーム５等の一部を破断した図である。
【図２】  フローティングユニットＦの正面図である。
【図３】  フローティングユニットＦの左側面図である。
【図４】  フローティングユニットＦの右側面図である。
【図５】  第１ローディングガイドプレートの図であり、（Ａ）が底面図、（Ｂ）が側面図、（Ｃ）が平面図である。
【図６】  第２ローディングガイドプレートの底面図である。
【図７】  第２ローディングガイドプレートの側面図である。
【図８】  駆動系、第１及び第２ローディングガイドプレートを示す平面図（ローディング開始状態）である。
【図９】  （Ａ）は第１及び第２ローディングガイドプレート並びにローディングガイドギヤを示す正面図であり、（Ｂ）はローディングガイドギヤの平面図、正面図、及び底面図である。
【図１０】  第１及び第２ローディングガイドプレートの動作を示す平面図であり、（Ａ）はローディング時の同期開始状態における図、（Ｂ）はローディング時の同期終了状態における図、（Ｃ）はローディング完了時における図である。
【図１１】  第１及び第２ローディングガイドプレートの動作を示す側面図であり、ローディング開始時を示す図である。
【図１２】  第１及び第２ローディングガイドプレートの動作を示す側面図であり、ローディング時の同期開始時における図である。
【図１３】  第１及び第２ローディングガイドプレートの動作を示す側面図であり、ローディング完了時における図である。
【図１４】  第１ローディングガイドプレート及びイジェクトリンクの動作を示す平面図であり、ローディング開始状態を示す図である。
【図１５】  第１ローディングガイドプレート及びイジェクトリンクの動作を示す平面図であり、ローディング途中状態を示す図である。
【符号の説明】
Ｃ  カートリッジ
ｔ  ターンテーブル
１  第１ローディングガイドプレート
１ａ  ラックギヤ
１ｃ  連結溝
１ｚ  第１当接部
２  第２ローディングガイドプレート
２ａ  ラックギヤ
２ｚ  第２当接部
６  ローディングアーム
８  駆動モータ
９  ギヤ列
１０  ローディングガイドギヤ
１１  イジェクトリンク
１１ｄ  連結ピン１１ｂ
１８  連結スプリング
１０２  クランパ
【図１】
0003636488.tif 000002
【図２】
0003636488.tif 000003
【図３】
0003636488.tif 000004
【図４】
0003636488.tif 000005
【図５】
0003636488.tif 000006
【図６】
0003636488.tif 000007
【図７】
0003636488.tif 000008
【図８】
0003636488.tif 000009
【図９】
0003636488.tif 000010
【図１０】
0003636488.tif 000011
【図１１】
0003636488.tif 000012
【図１２】
0003636488.tif 000013
【図１３】
0003636488.tif 000014
【図１４】
0003636488.tif 000015
【図１５】
0003636488.tif 000016